(57)【特許請求の範囲】
【請求項１】
人工膝蓋骨インプラントを受容するための切除された膝蓋骨表面を整えるうえで使用される膝蓋骨ドリルガイドであって、
前記切除された膝蓋骨表面の一部を把持するための骨グリップ要素と、
前記骨グリップ要素上に取り付けられる基部であって、前記基部が、平坦な膝蓋骨対向面を有し、前記骨グリップ要素の一部が、前記基部の前記平坦な膝蓋骨対向面から外側に向けて延びる、基部と、
前記基部の前記平坦な膝蓋骨対向面の上方に間隔をおいた、外形形成された関節面を有する膝蓋骨トライアル部分と、を備え、
前記基部が、前記基部を貫通して前記基部の前記平坦な膝蓋骨対向面にまで延びる複数のドリルガイド穴を有し、
前記基部が、前記骨グリップ要素上に回転可能に取り付けられ、
前記基部が前記骨グリップ要素上で回転させられるのにしたがって、前記切除された膝蓋骨表面に対する前記ドリルガイド穴の位置が変化することを特徴とする、膝蓋骨ドリルガイド。
【請求項２】
前記骨グリップ要素が、台座部、及び前記台座部から外側に向けて延びる複数のスパイクを有し、
前記基部が前記台座部上に回転可能に取り付けられている、請求項１に記載の膝蓋骨ドリルガイド。
【請求項３】
前記膝蓋骨トライアル部分が、前記基部の前記ドリルガイド穴と整列された複数の穴を有し、前記ドリルガイド穴と前記膝蓋骨トライアル部分の穴との整列が、前記基部が前記骨グリップ要素上で回転させられる際に変化しない、請求項１に記載の膝蓋骨ドリルガイド。
【請求項４】
前記膝蓋骨トライアル部分が前記基部の前記ドリルガイド穴と整列された複数の穴を有し、それぞれの穴の、前記膝蓋骨トライアル部分を貫通する部分が、前記ドリルガイド穴の、前記基部を貫通する整列した部分よりも大きな直径を有する、請求項１に記載の膝蓋骨ドリルガイド。
【請求項５】
前記基部と前記膝蓋骨トライアル部分とが一体である、請求項１の膝蓋骨ドリルガイド。
【請求項６】
前記基部及び前記膝蓋骨トライアル部分が、連結されてアセンブリを画定する独立した要素を含む、請求項１に記載の膝蓋骨ドリルガイド。
【請求項７】
前記基部が、前記膝蓋骨対向面から間隔をおいた、前記膝蓋骨対向面と平行な上面、及び、前記上面と前記膝蓋骨対向面との間に延びる縁部を有し、
前記縁部が複数の間隔をおいた凹部を有し、
前記上面が、前記間隔をおいた凹部の近傍に標示を有する、請求項６に記載の膝蓋骨ドリルガイド。
【請求項８】
前記基部が前記上面と前記膝蓋骨対向面との間の厚さを有し、
前記ドリルガイド穴の近傍の前記基部の厚さが、前記間隔をおいた凹部の近傍の前記基部の厚さよりも大きい、請求項７に記載の膝蓋骨ドリルガイド。
【請求項９】
前記膝蓋骨トライアル部分が、前記基部の前記ドリルガイド穴の１つにそれぞれが受容される複数のペグを有する、請求項６に記載の膝蓋骨ドリルガイド。
【請求項１０】
前記基部が、前記平坦な膝蓋骨対向面から間隔をおいた、前記平坦な膝蓋骨対向面と平行な第２の平坦な表面を有し、
前記膝蓋骨トライアル部分が、前記外形形成された関節面から間隔をおいた平坦な表面を有し、
前記膝蓋骨トライアル部分の前記平坦な表面が前記基部の前記第２の平坦な表面に固定される、請求項６に記載の膝蓋骨ドリルガイド。
【請求項１１】
前記基部が、アームによって連結された第１の端部部分と、第２の端部部分とを有し、
前記基部の前記第１の端部部分が前記骨グリップ要素上に回転可能に取り付けられ、前記膝蓋骨トライアル部分が前記基部の前記第１の端部部分の一部であり、
前記膝蓋骨ドリルガイドの第２の端部部分が、第２の骨グリップ要素、平坦な膝蓋骨対向面を有する第２の基部、及び、外形形成された関節面を有する第２の膝蓋骨トライアル部分を含み、
前記第２の基部が前記第２の骨グリップ要素上に回転可能に取り付けられ、該第２の骨グリップ要素の一部が前記平坦な膝蓋骨対向面から外側に向けて延び、
前記第２の膝蓋骨トライアル部分が、前記第２の基部の前記平坦な膝蓋骨対向面の上方に間隔をおいた、外形形成された関節面を有し、
前記第２の基部及び前記第２の膝蓋骨トライアル部分が、前記第２の膝蓋骨トライアル部分の前記外形形成された関節面から、前記第２の膝蓋骨トライアル部分を貫通し、更に前記第２の基部を貫通して、前記第２の基部の前記平坦な膝蓋骨対向面にまで延びる、複数の整列したドリルガイド穴を有し、
前記第２の基部及び第２の膝蓋骨トライアル部分の前記ドリルガイド穴の整列が、前記第２の骨グリップ要素上で前記第２の基部が回転させられる際に変化せず、
前記切除された膝蓋骨表面に対する前記第２の端部部分の前記整列したドリルガイド穴の位置が、前記第２の骨グリップ要素上で前記第２の基部が回転させられるのにしたがって変化する、請求項４に記載の膝蓋骨ドリルガイド。
【請求項１２】
前記第２の骨グリップ要素が、台座部から外側に向けて延びる複数のスパイクを有する、請求項１１に記載の膝蓋骨ドリルガイド。
【請求項１３】
それぞれの穴の、前記第２の膝蓋骨トライアル部分を貫通する部分が、前記穴の、前記第２の基部を貫通する整列した部分よりも大きな直径を有する、請求項１１に記載の膝蓋骨ドリルガイド。
【請求項１４】
前記第２の基部と前記第２の膝蓋骨トライアル部分とが一体である、請求項１１に記載の膝蓋骨ドリルガイド。
【請求項１５】
前記第２の基部及び前記第２の膝蓋骨トライアル部分が、連結されてアセンブリを画定する独立した要素を含む、請求項１１に記載の膝蓋骨ドリルガイド。
【発明の詳細な説明】
【技術分野】
【０００１】
（関連出願の相互参照）
本出願は、発明の名称が「Ｒｏｔａｔａｂｌｅ  Ｐａｔｅｌｌａ  Ｄｒｉｌｌ  Ｇｕｉｄｅ」（回転式膝蓋骨ドリルガイド）である２０１１年９月２８日出願の米国仮特許出願第６１／５４００４０号に基づく優先権を主張するものであり、当該出願の全容を本明細書に援用するものである。
【０００２】
（発明の分野）
本開示は一般的には成形外科用器具に関し、より詳細には膝蓋骨ドリルガイドに関する。
【背景技術】
【０００３】
患者の一生の間において、例えば疾患又は外傷の結果として患者に関節置換術を行う必要が生じうる。関節置換術ではプロテーゼが使用される場合があり、これを患者の骨の一つ以上に移植する。膝蓋骨置換術の場合では、成形外科用プロテーゼが患者の膝蓋骨内に移植される。具体的には、人工膝蓋骨インプラントコンポーネントを、その後面が膝の伸展及び屈曲の際に大腿骨コンポーネントと関節するように患者の天然膝蓋骨に固定する。
【０００４】
天然膝蓋骨の関節面の人工膝蓋骨による置換を容易にするため、整形外科医は、例えば、ノコギリ、ドリル、ミル、又はリーマーなどの各種の整形外科用器具を使用して膝蓋骨の後面を切除してから、人工膝蓋骨を固定するために切除面を整える。
【０００５】
一般的な人工膝蓋骨の固定要素としては、膝蓋骨にドリル又はリーマーにより穿孔された相補的な凹部又は穴に受容されるように骨側（前）面から延出した１以上のペグがある。
【０００６】
米国特許第５，５９３，４５０号におけるように一部の人工膝蓋骨インプラントでは、関節面はドーム状である。他の方式の人工膝蓋骨インプラントでは、関節面は人工大腿骨インプラントコンポーネントの膝蓋骨溝内に受容されて膝蓋骨溝を辿るように非対称な形状を有する。このような非対称形状の人工膝蓋骨の一例が米国特許第６，０７４，４２５号に開示されている。このような非対称的な膝蓋骨インプラントでは、インプラントの回転方向の整列が、膝蓋骨インプラントによる大腿骨インプラントの滑車溝のトラッキングに影響する。このような非対称的な膝蓋骨インプラントは一般的に、膝蓋骨表面にドリルにより穿孔された相補的な穴に受容されるように後面から延出した複数のペグを有している。しかしながら、外科医は通常、トライアル膝蓋骨及び大腿骨コンポーネントを合わせてみるまでは膝蓋骨のトラッキングを完全に評価することはできず、トライアルを合わせるには、切除された膝蓋骨上にトライアルを置く前に相補的な穴をドリルにより穿孔することが一般的に求められる。膝蓋骨トライアルが適正にトラッキングしていないと外科医が判断した場合でも、切除された膝蓋骨表面には既に取り付け穴がドリル穿孔されているために調節を行う余地はほとんどない。
【発明の概要】
【発明が解決しようとする課題】
【０００７】
本発明は、膝蓋骨の切除された表面に取り付け穴をドリル穿孔する前に外科医が膝蓋骨トラッキングを評価することを可能とする膝蓋骨ドリルガイドを提供する。
【課題を解決するための手段】
【０００８】
例示的な実施形態において、本発明は、人工膝蓋骨インプラントコンポーネントを受容するために切除された膝蓋骨表面を整えるうえで使用するためのこのような膝蓋骨ドリルガイドを提供する。膝蓋骨ドリルガイドは、骨グリップ要素、基部、及び膝蓋骨トライアル部分を備える。前記骨グリップ要素は、切除された膝蓋骨表面の一部を把持するためのものである。前記基部は平坦な膝蓋骨対向面を有し、骨グリップ要素の一部が前記基部の平坦な膝蓋骨対向面から外側に向けて延びる。前記膝蓋骨トライアル部分は、前記基部の平坦な膝蓋骨対向面の上方に間隔をおいた、外形形成された関節面を有する。前記基部は、該基部を貫通して前記基部の平坦な膝蓋骨対向面にまで延びる複数のドリルガイド穴を有する。
【０００９】
特定の実施形態では、前記基部は、前記骨グリップ要素上に回転可能に取り付けられる。このような実施形態では、前記基部が前記骨グリップ要素上で回転させられるのにしたがって、前記切除された膝蓋骨表面に対する前記ドリルガイド穴の位置が変化する。
【００１０】
膝蓋骨に穴をドリル穿孔するのに先立って、このような膝蓋骨ドリルガイドを膝蓋骨の切除された後面上に一時的に取り付けて、膝蓋骨トライアル部分のサイズを評価し、その向きを設定するために使用することができる。外科医は、膝蓋骨トライアル部分の向きに納得した時点で、膝蓋骨ドリルガイドを使用して、膝蓋骨インプラントコンポーネントを受容し、これを適切に方向付けるための適切に方向付け及び配置された穴をドリル穿孔することができる。
【００１１】
より詳細な実施形態では、前記骨グリップ要素は、台座部、及び台座部から外側に向けて延びる複数のスパイクを有する。この実施形態では、前記基部は前記台座部上に回転可能に取り付けられる。
【００１２】
別のより詳細な実施形態では、膝蓋骨トライアル部分は、前記基部の前記ドリルガイド穴と整列した複数の穴を有する。前記基部が前記骨グリップ要素上で回転させられる際に、前記ドリルガイド穴と前記膝蓋骨トライアル部分の穴との整列は変化しない。整列した穴を膝蓋骨トライアル部分に有するこのような装置では、それぞれの穴の前記膝蓋骨トライアル部分を貫通する部分が、こうした穴の、前記基部を貫通する整列した部分よりも大きな直径を有してもよい。
【００１３】
別のより詳細な実施形態では、前記基部と前記膝蓋骨トライアル部分とは一体である。
【００１４】
別のより詳細な実施形態では、前記基部及び前記膝蓋骨トライアル部分は、連結されてアセンブリを形成する独立した要素を含む。この実施形態では、前記基部は、前記平坦な膝蓋骨対向面から間隔をおき、平坦な膝蓋骨対向面と平行な上面、すなわち第２の表面を有してもよい。このような実施形態では、前記基部は、前記上面と前記膝蓋骨対向面との間に延びる縁部を有してもよい。縁部は複数の間隔をおいた凹部を有してよく、前記上面は前記間隔をおいた凹部の近傍に標示を有してもよい。このような実施形態では、前記膝蓋骨トライアル部分は、前記外形形成された関節面から間隔をおいた平坦な表面を有してもよく、膝蓋骨トライアル部分のこのような平坦な表面は前記基部の前記第２の平坦な表面に固定されてもよい。このような実施形態では、前記基部は一定の厚さを有してもよく、あるいは前記ドリルガイド穴の近傍のより厚い部分と、前記間隔をおいた凹部の近傍のより薄い部分とを有してもよい。
【００１５】
別のより詳細な実施形態では、前記基部は、アームによって連結された第１の端部部分と、第２の端部部分と、を含む。この実施形態では、前記基部の前記第１の端部部分は前記骨グリップ要素上に回転可能に取り付けられ、前記膝蓋骨トライアル部分は前記基部の前記第１の端部部分の一部であり、前記膝蓋骨ドリルガイドの第２の端部部分は、第２の骨グリップ要素、平坦な膝蓋骨対向面を有する第２の基部、及び、外形形成された関節面を有する第２の膝蓋骨トライアル部分を含む。この実施形態では、前記第２の基部が前記第２の骨グリップ要素上に回転可能に取り付けられ、該第２の骨グリップ要素の一部が、前記平坦な膝蓋骨対向面から外側に向けて延び、前記第２の膝蓋骨トライアル部分が、前記第２の基部の前記平坦な膝蓋骨対向面の上方に間隔をおいた、外形形成された関節面を有し、前記第２の基部及び前記第２の膝蓋骨トライアル部分が、前記第２の膝蓋骨トライアル部分の前記外形形成された関節面から、前記第２の膝蓋骨トライアル部分を貫通し、更に前記第２の基部を貫通して、前記第２の基部の前記平坦な膝蓋骨対向面にまで延びる、複数の整列したドリルガイド穴を有する。前記第２の基部及び第２の膝蓋骨トライアル部分の前記ドリルガイド穴の整列は、前記第２の骨グリップ要素上で前記第２の基部が回転させられる際に変化せず、前記切除された膝蓋骨表面に対する前記第２の端部部分の前記整列したドリルガイド穴の位置は、前記第２の骨グリップ要素上で前記第２の基部が回転させられるのにしたがって変化する。
【００１６】
この実施形態では、前記第２の骨グリップ要素は台座部及び該台座部から外側に向けて延びる複数のスパイクを備えてもよい。
【００１７】
この実施形態では、それぞれの穴の前記第２の膝蓋骨トライアル部分を貫通する部分は、該穴の、第２の基部を貫通する整列した部分よりも大きな直径を有してもよい。
【００１８】
この実施形態では、前記第２の基部と前記第２の膝蓋骨トライアル部分とは一体であってもよく、あるいは、第２の基部と第２の膝蓋骨トライアル部分とは、連結されてアセンブリを形成する独立した要素を含んでもよい。
【００１９】
この実施形態では、前記第２の膝蓋骨トライアル部分の前記外形形成された関節面は非対称であってもよい。
【００２０】
この実施形態では、前記膝蓋骨ドリルガイドの前記第２の端部部分が、前記第２の膝蓋骨トライアル部分の前記外形形成された関節面から前記第２の基部の露出した表面にまで延びる厚さを有してもよく、前記第２の膝蓋骨トライアル部分が、反対側の縁部を含む縁部を有してもよい。前記膝蓋骨ドリルガイドの前記第２の端部部分の前記厚さは、前記第２の膝蓋骨トライアル部分の一方の縁部から前記反対側の縁部にかけて変化してもよく、また、少なくとも１つの断面図において、前記膝蓋骨ドリルガイドの前記第２の端部部分の最大の厚さは、前記第２の膝蓋骨トライアル部分の両縁部の間で、一方の縁部から、両縁部間の距離の１／２よりも大きい距離となる位置にあってもよい。
【００２１】
この実施形態では、前記第１及び第２の膝蓋骨トライアル部分が異なるサイズのものであってよく、また、前記第１の膝蓋骨トライアル部分の両縁部間の距離が、前記第２の膝蓋骨トライアル部分の両縁部間の距離と異なっていてもよい。
【００２２】
別のより詳細な実施形態では、膝蓋骨ドリルガイドは更に、ハンドル及び該ハンドルに連結されたクランプ機構を更に有する。この実施形態では、前記ハンドルは前記膝蓋骨ドリルガイドの前記基部に連結される。この実施形態では、前記クランプ機構は、前記ハンドルから、前記基部から間隔をおき、前記基部と整列した端部にまで延びるカンチレバーバネ部材と、前記カンチレバーバネ部材の前記端部上の骨グリップ部材であって、前記基部上の骨グリップ要素と対向し、該骨グリップ要素から間隔をおいた骨グリップ部材と、を備えてもよい。この実施形態では、前記クランプ機構は、前記ハンドルに連結され、前記カンチレバーバネ部材上の前記骨グリップ部材を前記基部上の前記骨グリップ要素から遠ざかる方向に選択的に反らせるように動作することが可能な偏向要素を更に備えてもよい。
【図面の簡単な説明】
【００２３】
発明を実施するための形態においては特に以下の図面を参照する。
【図１】本発明の原理を取り入れた膝蓋骨ドリルガイドの一実施形態の斜視図。
【図２】図１の膝蓋骨ドリルガイドの一方の端部部分の平面図。
【図３】図１及び２の膝蓋骨ドリルガイドの一方の端部部分の拡大側面図であり、切除された膝蓋骨に固定された端部部分を、適当な皿穴深さ調節ドリルビットの一例とともに示した図。
【図４】図３の膝蓋骨ドリルガイドの拡大側面図であり、ドリルガイドの基部及び膝蓋骨トライアルが図３に示される位置から９０°回転させられ、切除された膝蓋骨に固定された状態であるが、皿穴深さ調節ドリルビットなしで示されている。
【図５】膝蓋骨ドリルガイドの代替的な一実施形態を示す側面図であり、切除された膝蓋骨をクランプ締めしている状態を示している。
【図６】図５の膝蓋骨ドリルガイドの実施形態を示す側面図であり、膝蓋骨ドリルガイドが膝蓋骨に対して９０°旋回された状態で示されている。
【図７】膝蓋骨トライアルコンポーネントの一実施形態の側面図。
【図８】図７の膝蓋骨トライアルコンポーネントと使用するための膝蓋骨ドリルガイドの代替的な基部の側面図。
【図９】図７の膝蓋骨トライアルコンポーネントと使用することが可能な膝蓋骨ドリルガイドの代替的な基部の平面図。
【図１０】図７の膝蓋骨トライアルコンポーネントと使用するための膝蓋骨ドリルガイドの別の代替的な基部の側面図。
【図１１】図１０の膝蓋骨ドリルガイドの基部の平面図。
【図１２】図７の膝蓋骨トライアルコンポーネントと使用することが可能な膝蓋骨ドリルガイドの別の代替的な基部の側面図。
【図１３】図１２の基部の平面図。
【発明を実施するための形態】
【００２４】
本開示の概念には様々な改変及び代替的形態が考えられるが、その特定の代表的な実施形態を図面に例として示し、本明細書において詳細に述べる。ただし、本開示の概念を開示される特定の形態に限定することを何ら意図するものではなく、その逆に、本発明は、添付の「特許請求の範囲」において定義される発明の趣旨及び範囲に包含されるすべての改変物、均等物及び代替物を網羅することを意図するものである点は理解されるべきである。
【００２５】
本明細書に述べる整形外科用インプラント及び外科用器具に関して、更に患者の天然の解剖学的構造に関して、前方、後方といった解剖学的基準を表わす用語を本明細書の全体を通じて用いうる。これらの用語は、解剖学的構造の研究及び整形外科学の分野のいずれにおいても広く理解された意味を有するものである。明細書及び特許請求の範囲におけるこれらの解剖学的基準を表す用語の使用は、特に断らないかぎりは、それらの広く理解されている意味と一貫性を有するものとする。
【００２６】
図１を参照すると、膝蓋骨ドリルガイド１０の第１の実施形態が示されている。図に示される膝蓋骨ドリルガイド１０は、第１の骨グリップ要素１２、第２の骨グリップ要素１４、第１の基部１６、第２の基部１８、第１の膝蓋骨トライアル部分２０、第２の膝蓋骨トライアル部分２２、及び２つの基部１６、１８を連結するアーム２４を備えている。第１の実施形態では、第１及び第２の骨グリップ要素１４、１６は、第１及び第２の基部１６、１８上に回転可能に保持されている。
【００２７】
第１の骨グリップ要素１２、第１の基部１６、及び第１の膝蓋骨トライアル部分２０は、共に図に示される膝蓋骨ドリルガイド１０の第１の端部部分を構成し、第２の骨グリップ要素１４、第２の基部１８、及び第２の膝蓋骨トライアル部分２２は、共に第２の端部部分を備える。図に示される実施形態の第１の端部部分と第２の端部部分とは大きさが異なるだけである点は理解されるはずである。以下では第１の端部部分の詳細のみを述べる。以下の第１の端部部分の詳細な説明は、はっきりと区別して述べられないかぎりは第２の端部部分にも当てはまる点は理解されるはずである。図中、第１の端部部分の部材に対応する第２の端部部分の部材は、第１の端部部分について用いられる参照符合と同じ参照符合の後にプライム記号「’」を付けて示す。
【００２８】
図に示される第１の実施形態では、第１及び第２の骨グリップ要素１２、１４は、複数の尖った円錐状スパイク２６を有している。各スパイクは、図３〜４の膝蓋骨３０の表面２８のような膝蓋骨の切除された後面内に押し込まれるようなサイズ及び形状となっている。添付図面には３本の円錐状スパイク２６が示されているが、これよりも少ないか又は多い数のスパイクを使用することも可能である点は理解されるはずであり、例えば、図１２及び１３の実施形態に示されるような１本のスパイク２６Ｄを使用することができる。
【００２９】
図３に破線により示されるように、図に示される第１の骨グリップ要素１２のスパイク２６は台座部３２に固定され、台座部３２から外側に延びている。台座部３２はほぼ円筒状の外面を有してよく、第１の基部１６を第１の骨グリップ要素１２の台座部３２上に回転可能に取り付けることができるような取り付け機構を有している。第１の基部１６は、台座部３２を受容するための円筒状の凹部３４（図３及び４を参照）を含んでもよい。台座部３２と第１の基部１６とは、台座部３２と基部１６とを互いに固定する一方で台座部３２の長手方向中心軸３３を中心とした相対回転を可能とするような相補的構造を有してもよく、このような相補的構造としては、例えば、台座部３２が基部１６の凹部３４内にスナップ嵌めされる一方で軸線３３を中心として３６０°回転することを可能とするような溝及び１組の可撓性突起が含まれうる。
【００３０】
台座部３２と基部１６とを回転可能に連結するための他の選択肢も利用可能である。例えば、ネジ及びローラーベアリングを使用することもできる。また、台座部は、スパイク２６を有する部分よりも大きな直径を有するような形状とし、更に、スパイク２６を有する部分の直径よりも大きくかつ基部の凹部内に保持される台座部の部分の直径よりも小さい直径を有する穴を有するカバーを有してもよく、これにより、台座部３２を基部１６に固定することができる一方でこれらの要素の間で３６０°の相対回転が可能となる。
【００３１】
台座部３２及び基部１６を複数の相対的な回転位置にロックできることが望ましい場合もある。例えば、台座部３２の外表面がラチェット面を有してもよく、台座部と基部とが複数の位置に解除可能にロックされるように基部１６内につめを設けることができる。他のロック機構を採用することも可能である。
【００３２】
１本のスパイクが使用される場合には、基部上に基部が回転可能に取り付けられる必要は必ずしもない。代わりに、基部及びスパイクを膝蓋骨上のスパイクを中心として回転させることができる。このような実施形態が図１２及び１３に示されている。
【００３３】
基部１６は、平坦かつ平面状の膝蓋骨対向面３６を有する。図３及び４に示されるように、この表面３６は、膝蓋骨３０の切除された後面２８上に平らに押し付けられるような設計となっている。凹部３４は表面３６を貫通して開口しており、スパイク２６は膝蓋骨対向面３６を越えて外側に延びている。
【００３４】
図に示される実施形態では、膝蓋骨トライアル部分２０は、基部１６の平坦かつ平面状の膝蓋骨対向面３６の上方に間隔をおいた、外形形成された関節面３８を有している。外形形成された関節面３８は、本明細書にその全容を援用するところの米国特許第６，０７４，４２５号に開示されるような解剖学的なものであってもよい。外形形成された関節面は、本明細書にその全容を援用するところの米国特許第７，９７２，３８３号又は米国特許出願公開第２００９−０３２６６６１  Ａ１号に開示されるような形状であってもよい。外形形成された関節面は、ソンブレロ形状又は半ソンブレロ形状の表面をなしてもよい。一般的に、関節面３８は、膝蓋骨インプラントコンポーネントの対応するサイズの形状と同様の外形となるように形成される。
【００３５】
図に示される実施形態では、外形形成された関節面３８と平坦かつ平面状の膝蓋骨対向面３６との間の距離は、膝蓋骨ドリルガイド１０の端部部分４０の全体の厚さを規定し、対応する膝蓋骨インプラントコンポーネントの厚さと概ね一致している。図３に示されるように、端部部分４０の厚さは、冠状面で見た場合に端部部分４０の一方の縁部４２から端部部分４０の反対側の縁部４４にかけて変化している。端部部分４０は、図３及び４に厚さ「ｔ」として示される関節面３８のピーク４６において最大の厚さとなっている。ピーク４６は図の実施形態では中心からずれており、互いに反対の縁部４２、４４の間において、互いに反対の縁部４２、４４間の距離の１／２よりも大きい距離となる位置に位置しているが、このオフセット量は、図３では台座部３２の中心軸３３からの距離「ｄ」として示されており、ただし中心軸３３は縁部４２、４４間の距離の１／２の位置にある。
【００３６】
図の第１の実施形態の基部１６及び膝蓋骨トライアル部分２０は、膝蓋骨トライアル部分２０の関節面３８から、膝蓋骨トライアル部分２０の本体を貫通し、更に基部１６を貫通して基部１６の平坦な膝蓋骨対向面３６にまで延びる複数の整列されたドリルガイド穴５０、５２、５４を有している。図４に示されるように、各ドリルガイド穴５０、５２、５４は、膝蓋骨トライアル部分２０を貫通する部分５６、５８、６０、及び基部１６を貫通する整列部分６２、６４、６６の２つの部分からなっている。膝蓋骨トライアル部分２０を貫通する部分５６、５８、６０は、基部１６を貫通する部分６２、６４、６６よりも大きな直径を有し、図３及び４に６１、６３及び６５で示されるような環状肩部を形成している。これらの部分５６、５８、６０、６２、６４、６６の各直径は、図３に示される皿穴ドリルビット７２のカラー部分６８及び溝付き部分７０の各直径と一致しており、基部１６を貫通する部分６２、６４、６６の各直径は、膝蓋骨インプラントコンポーネント上の取り付けペグの各直径と一致している。使用時には、環状肩部６１、６３、６５がドリルビット７２のカラー部分６８の係止要素として機能することにより膝蓋骨３０内へのドリルビット７２の運動を制限する。これにより基部１６の厚さ及びドリルビット７２の溝付き部分７０の長さによって膝蓋骨内にドリル穿孔される穴の深さが制御される。この深さは一般的に膝蓋骨インプラントコンポーネント上の取り付けペグの長さに概ね一致している。
【００３７】
図１及び２に見られるように、図の実施形態の整列された穴５０、５２、５４は、端部部分４０上に三角形のパターンで間隔をおいて配置されている。穴の数及び穴５０、５２、５４の間の間隔は、膝蓋骨インプラントコンポーネント上の取り付けペグの数及び間隔と一致している。膝蓋骨インプラントコンポーネント上の取り付けペグの穴の数及び間隔に応じて穴の数及び間隔は図の実施形態から調節することが可能な点は理解されるはずである。
【００３８】
図の第１の実施形態では、基部１６と膝蓋骨トライアル部分２０とは、連結されることによってアセンブリを形成する別個の独立した要素である。図には示されていないが、これらの要素１６、２０を組み立てるために、スナップ嵌め機構用の相補的な突起及び凹部のような任意の適当な連結機構を使用することができる点は理解されるはずである。同じ基部１６上で異なるサイズ又は形状の関節面にトライアルを合わせることができるように外科医が手術中に膝蓋骨トライアル部分２０を交換できることが望ましい場合がある。この代わりに、基部１６及び膝蓋骨トライアル部分２０が、１個の一体の要素を構成してもよい点もやはり理解されるはずである。
【００３９】
図の実施形態によって異なるサイズの膝蓋骨インプラントコンポーネントのトライアル合わせを実現することができる。上記に述べたように、図の膝蓋骨ドリルガイド１０は、アーム２４の反対側の端部に第２の端部部分４０’を有している。図の実施形態の第２の端部部分４０’は、第１の端部部分４０とサイズが異なるだけであり、ほぼ同じものである。したがって、第１の端部部分４０の上記の説明は第２の端部部分４０’にも同様に当てはまる。図の実施形態によれば、外科医は取り付けペグ用の穴をドリルにより穿孔するのに先立って２つの異なるサイズのコンポーネントをトライアル合わせする場合がある。図の実施形態は同様の端部部分４０、４０’を有しているが、本発明の原理を利用した膝蓋骨ドリルガイドは、１個のみの端部部分を有するものであってもよい点は理解されるはずである。更に、外科用キットに１個又は２個の端部部分を有する複数の膝蓋骨ドリルガイドを含めることによって、トライアルとして使用するための複数のサイズの膝蓋骨トライアル部分が外科医に与えられてもよい。
【００４０】
図１に示される実施形態では、２個の端部部分４０、４０’を連結するアーム２４は、窓を画定する切欠き部４１、４１’を必要に応じて有してもよく、これを通じてドリルガイド１０が膝蓋骨上に取り付けられる際に外科医が膝蓋骨の縁部を見ることができる。
【００４１】
本発明の膝蓋骨ドリルガイドは他の要素を含んでもよい。例えば、膝蓋骨の後面に対して膝蓋骨ドリルガイドをクランプ締めするためのクランプ機構を含んでもよい。このようなクランプ機構の一例が図５及び６の実施形態に示されている。この実施形態の要素の多くは、上記に述べた第１の実施形態の要素と同様であり、図５〜６ではそのような要素については同じ参照符合を用い、その後に文字「Ａ」を付して示している。上記の説明文は、図５及び６において図１〜４と同じ参照符合を有する要素にも同様に当てはまるものと仮定することができる。
【００４２】
図５及び６の膝蓋骨ドリルガイド１０Ａは、上記に述べたような要素を有する１個の端部部分４０Ａを有している。図５及び６の端部部分４０Ａは、第２の端部部分４０に連結される代わりにハンドル８０に連結されている。ハンドル８０は更にカンチレバーバネ要素８２の一端を収容しており、カンチレバーバネ要素８２はハンドル８０から基部１６Ａの下に整列させられた第２の端部へと延びている。カンチレバーバネ要素８２の第２の端部は、台座部３２の中心軸３３に沿って整列された骨グリップ部材８４を担持する。骨グリップ部材８４は、カンチレバーバネ要素８２の両端の間のバネ要素８２の一部分に押し付けられるようにして動作する偏向要素８６を押し込むことによって基部１６Ａから遠ざかる方向に反らされる。使用時には、骨グリップ部材８４が膝蓋骨３０の後面８８に押し付けられるように作用することにより、膝蓋骨は骨グリップ部材８４と基部１６Ａの膝蓋骨対向面３６Ａとの間に効果的に保持される。図５及び６に見られるように、骨グリップ部材８４、バネ要素８２、ハンドル８０及び端部部分４０Ａによって構成されるクランプによって、切除された膝蓋骨表面内に端部部分４０Ａのスパイク２６Ａを定置し、基部１６Ａ、膝蓋骨トライアル部分２０Ａ、及び骨グリップ部材８４が台座部３２Ａを中心として３６０°回転することが可能となるため、トライアル合わせ及びドリルによる穿孔プロセスが行われる際に外科医が膝蓋骨をよりしっかりと保持することが可能である。
【００４３】
上記に述べ、図５及び６に示される特定のクランプ機構は、適当なクランプ機構の一例であることは理解されるはずである。他のクランプ機構を回転式ドリルガイドと使用することも可能であり、こうしたクランプ機構は特定のクランプ機構に明確に限定されないかぎりは本発明の範囲に含まれるものである。
【００４４】
他の代替的な実施形態が図７〜９、図１０及び１１、及び図１２及び１３に示されている。これらの実施形態の要素の多くは上記に述べた実施形態の要素と同様であり、こうした同様の要素については、そのような要素については同じ参照符合を用い、図７〜９ではその後に文字「Ｂ」を、図１０及び１１では文字「Ｃ」を、図１２及び１３では文字「Ｄ」を付して示している。上記の説明文は、具体的な相違点が指摘されないかぎりは、図７〜１３において図１〜６と同じ参照符合を有する要素にも同様に当てはまるものと仮定することができる。
【００４５】
これらの実施形態では、基部１６Ｂ、１６Ｃ、１６Ｄ及び膝蓋骨トライアル部分２０Ｂは、使用に際して組み立てられる別個の独立した要素である。しかしながらこれらの実施形態では、膝蓋骨トライアル部分２０Ｂはガイド穴を有していない。その代わりに、膝蓋骨トライアル部分２０Ｂは、基部１６Ｂ、１６Ｃ、１６Ｄの上面１０６、１０６Ｃ、１０６Ｄから膝蓋骨対向面３６Ｂ、３６Ｃ、３６Ｄにまで延びるドリルガイド穴５０Ｂ、５２Ｂ、５４Ｂ、５０Ｃ、５２Ｃ、５４Ｃ、５０Ｄ、５２Ｄ、５４Ｄ内に受容されるようなサイズ及び配置の複数のペグ１００、１０２、１０４を有している。基部１６Ｂ、１６Ｃ、１６Ｄは、上面１０６、１０６Ｃ、１０６Ｄと、膝蓋骨対向面３８Ｂ、３８Ｃ、３８Ｄとの間、及び基部１６Ｂ、１６Ｃ、１６Ｄの外周の一部の周囲に延びる縁部１０８、１０８Ｃ、１０８Ｄを有している。これらの実施形態では、膝蓋骨トライアル部分２０Ｂは、膝蓋骨上でアセンブリのトライアル合わせを行う際に基部１６Ｂ、１６Ｃ、１６Ｄの厚さを補償するために小さい厚さを有している。
【００４６】
図９〜１３は、図８〜１３の基部１６Ｂ、１６Ｃ、１６Ｄと使用することができる更なる任意の要素を示す。これらの実施形態では、縁部１０８、１０８Ｃ、１０８Ｄは、間隔をおいた複数の切欠き部又は凹部１１０、１１２、１１４、１１０Ｃ、１１２Ｃ、１１４Ｃ、１１０Ｄ、１１２Ｄ、１１４Ｄを有し、これを通じて膝蓋骨３０Ｂ、３０Ｃ、３０Ｄの切除された後面２８Ｂ、２８Ｃ、２８Ｄを見ることができる。基部１６Ｂ、１６Ｃ、１６Ｄの上面１０６、１０６Ｃ、１０６Ｄは、サイズ標示１１６、１１６Ｃ、１１６Ｄを含んでおり、これにより、サイズ標示１１６、１１６Ｃ、１１６Ｄに合わせて配置された切除された膝蓋骨表面２８Ｂ、２８Ｃ、２８Ｄを外科医が見ることによって移植される膝蓋骨インプラントコンポーネントの最適なサイズを決定することができる。これらの実施形態は、複数のサイズの膝蓋骨インプラントコンポーネントが共通のサイズ及び配置の取り付けペグを有しており、同じドリルガイド１０Ｂ、１０Ｃ、１０Ｄを複数のサイズの膝蓋骨インプラントコンポーネントに対して使用することができる場合に特に有益である。
【００４７】
図８及び９の実施形態では、基部１６Ｂは、上面１０６と膝蓋骨対向面３６Ｂとの間では一定の厚さを有し、その厚さは、トライアル部分２０Ｂのペグ１００、１０２、１０４の厚さと一致している。図１０〜１３の代替的な実施形態では、基部１６Ｃ、１６Ｄの厚さは変化している。切欠き部又は凹部１１０Ｃ、１１２Ｃ、１１４Ｃ、１１０Ｄ、１１２Ｄ、１１４Ｄの付近では、基部１６Ｃ、１６Ｄの厚さは、ドリルガイド穴５０Ｃ、５２Ｃ、５４Ｃ、５０Ｄ、５２Ｄ、５４Ｄの付近の厚さより小さく、例えば、切欠き部又は凹部１１０Ｃ、１１２Ｃ、１１４Ｃ、１１０Ｄ、１１２Ｄ、１１４Ｄの付近における基部１６Ｃ、１６Ｄの厚さが約２ｍｍでありうるのに対して、ドリルガイド穴５０Ｃ、５２Ｃ、５４Ｃ、５０Ｄ、５２Ｄ、５４Ｄ付近の基部１６Ｃ、１６Ｄの厚さは約６ｍｍであってもよい。変化する基部の厚さは、切欠き部又は凹部１１０Ｃ、１１２Ｃ、１１４Ｃ、１１０Ｄ、１１２Ｄ、１１４Ｄの周囲の比較的薄い領域によってサイズマーキング１１６Ｃ、１１６Ｄが膝蓋骨対向面２８Ｃ、２８Ｄとより近接し、したがってより読みやすくなるという点で有利となりうる。更に、ドリルガイド穴５０Ｃ、５２Ｃ、５４Ｃ、５０Ｄ、５２Ｄ、５４Ｄの周囲のより厚い中央部分は、器具セットに含まれるドリルビットの数を減らすうえで有用となりうる。通常、器具セットは、大腿骨インプラントコンポーネントなどの他のコンポーネントのペグを受容するうえで適当な深さに穴をドリル穿孔するための深さ止めを備えたドリルビットを含んでいる。このような基部１６Ｃ、１６Ｄのより厚い中央部分は、同じ深さ止めを有するこの同じドリルビットを使用して、膝蓋骨インプラントコンポーネント用の穴を、膝蓋骨インプラントコンポーネントに適当な深さでドリル穿孔することを可能とするものである。
【００４８】
図１２及び１３の実施形態は、図１２及び１３の実施形態の骨グリップ要素１２Ｄでは、基部１６Ｄに１本のスパイク２６Ｄが固定されているという点において図１０及び１１の実施形態と異なっている。この実施形態では、基部１６Ｄ、トライアル部分２０Ｄ及びスパイク２６Ｄを含むアセンブリ全体が、膝蓋骨３０Ｄの切除された表面２８Ｄ内にスパイクが押し込まれる際にスパイク２６Ｄを通る長手方向軸を中心として、一体として回転する。このような固定されたスパイク２６Ｄは、図１〜１１の実施形態におけるような台座部３２、３２Ａ、３２Ｂ、３２Ｃに取り付けられた複数のスパイク２６、２６Ａ、２６Ｂ、２６Ｃの代わりに使用することもできる。
【００４９】
図７〜１３に示されるトライアル合わせ及びガイドシステムを使用することには利点があるものの、改変を行うことも可能である点は理解されるはずである。例えば、個々の膝蓋骨トライアル部分２０Ｂは、トライアル部分２０Ｂと基部１６Ｂ、１６Ｃとが組み立てられる際にガイド穴５０Ｂ、５２Ｂ、５４Ｂと整列するガイド穴を有してもよい。このような実施形態では、ペグ１００、１０２、１０４以外の取り付け機構が用いられる。更に、基部１６Ｂ、１６Ｃは切欠き部／凹部１１０、１１２、１１４又はサイズ標示１１６を必ずしも有さずともよい。
【００５０】
図に示される実施形態はいずれも、外科用器具の分野で使用される標準的なポリマー材料又は金属材料で形成することが可能であり、異なるこのような材料のアセンブリを含みうる。従来の製造プロセスを使用することもできる。本発明は、特許請求の範囲において明確に示されないかぎり、いずれの特定の材料又は製造プロセスにも限定されない。
【００５１】
使用時には、外科医は、膝蓋骨の後面を切除して膝蓋骨３０の表面２８のような平坦かつ平面状の表面を形成することによって最初に膝蓋骨を整える。図１〜６の実施形態では、外科医は次に、特定の患者によって必要とされる膝蓋骨インプラントコンポーネントのサイズを推定し、ドリルガイド１０のような適当なサイズの膝蓋骨ドリルガイドを選択してから、第１の端部部分４０のような適当なサイズの端部部分を選択する。次いで、外科医は、基部１６の膝蓋骨対向面３６が切除された骨表面２８に対して平らに押し付けられるまで、切除された骨表面２８内に第１の骨グリップ要素１２のスパイク２６を押し込む。このようにして端部部分４０が膝蓋骨３０に固定された状態で、膝蓋骨トライアル部分２０の関節面３８が大腿骨トライアルコンポーネントの関節面（図に示されていない）と嵌合するように膝蓋骨を配置することができる。次に外科医は、患者の膝を一定の範囲で屈曲及び伸展させ、膝蓋骨トライアル関節面３８と大腿骨トライアルコンポーネントの関節面との相互作用を評価することができる。患者の膝が所定の運動範囲で動かされる際に、外科医は、関節面３８、３８Ａ、３８Ｂの向きが最適であると納得するまで、台座部３２、３２Ａ、３２Ｂ、３２Ｃ上で基部１６、１６Ａ、１６Ｂ、１６Ｃ及び取り付けられた膝蓋骨トライアル部分２０、２０Ａ、２０Ｂを回転させることによって膝蓋骨トライアル部分２０の向きを調節することができる。図１２及び１３の実施形態の場合では、関節面３８Ｂの向きが最適であると外科医が納得するまで基部１６Ｄ及び取り付けられた膝蓋骨トライアル部分２０Ｄをスパイク２６Ｄを通る軸線を中心として回転させる。膝蓋骨に対する整列された穴５０、５２、５４、５０Ａ、５２Ａ、５４Ａ、５０Ｂ、５２Ｂ、５４Ｂ、５０Ｃ、５２Ｃ、５４Ｃ、５０Ｄ、５２Ｄ、５４Ｄの向きは、基部１６、１６Ａ、１６Ｂ、１６Ｃ、１６Ｄ及び取り付けられた膝蓋骨トライアル部分２０、２０Ａ、２０Ｂが回転されるのにしたがって変化することから、穴５０、５２、５４、５０Ａ、５２Ａ、５４Ａ、５０Ｂ、５２Ｂ、５４Ｂ、５０Ｃ、５２Ｃ、５４Ｃ、５０Ｄ、５２Ｄ、５４Ｄは最適な向き及び位置とならなければならない。次いで外科医は、最適に配置された穴５０、５２、５４、５０Ａ、５２Ａ、５４Ａ、５０Ｂ、５２Ｂ、５４Ｂ、５０Ｃ、５２Ｃ、５４Ｃ、５０Ｄ、５２Ｄ、５４Ｓを通じて膝蓋骨に取り付け穴を形成することができる。図３に示されるカラー６８及び肩部６３のようなカラーをドリルビットが有し、穴が肩部を有する場合には、各穴の深さを設定することができる。次いで膝蓋骨ドリルガイド１０、１０Ａ、１０Ｂ、１０Ｃ、１０Ｄを整えられた膝蓋骨から取り外し、膝蓋骨インプラントコンポーネントを、その取り付けペグがドリル穿孔された穴に受容され、大腿骨インプラントコンポーネントに対するトラッキングが適正となるようにその向きが最適化された状態で移植することができる。
【００５２】
図７〜１３の実施形態については、この実施形態の要素を使用した外科用キットにそれぞれのインプラントコンポーネントのサイズに対応した複数のサイズの膝蓋骨トライアル部分２０Ｂを含めることができる。外科医は、複数のスパイク２６Ｂ、２６Ｃ、又は１本のスパイク２６Ｄを膝蓋骨表面２８Ｂ、２８Ｃ、２８Ｄ内に押し込み、凹部１１０、１１２、１１４、１１０Ｃ、１１２Ｃ、１１４Ｃ、１１０Ｄ、１１２Ｄ、１１４Ｄを通じて膝蓋骨縁部を観察し、膝蓋骨縁部をサイズ標示１１６、１１６Ｃ、１１６Ｄと比較することにより、膝蓋骨の切除された表面２８Ｂ、２８Ｃ、２８Ｄ上に基部１６Ｂ、１６Ｃ、１６Ｄを取り付ける。次いで外科医は、適当なサイズのトライアル部分２０Ｂを選択し、ペグ１００、１０２、１０４を基部１６Ｂ、１６Ｃ、１６Ｄのドリルガイド穴５０Ｂ、５２Ｂ、５４Ｂ、５０Ｃ、５２Ｃ、５４Ｃ、５０Ｄ、５２Ｄ、５４Ｄに挿入することによって、選択されたトライアル部分２０Ｂを基部１６Ｂ、１６Ｃ、１６Ｄ上に組み付けることができる。次いで外科医は、患者の膝を屈曲及び伸展するように動かすことによってアセンブリをトライアル合わせする。トライアル合わせにおいて、外科医は、トライアル部分２０Ｂの向きが最適化されるまで台座部３２Ｂ、３２Ｃ上で基部１６Ｂ、１６Ｃを（又はスパイク２６Ｄの長手方向の中心軸を中心として基部１６Ｄを）回転又は旋回させることができる。次いでトライアル部分２０Ｂを基部１６Ｂ、１６Ｃ、１６Ｄから取り外し、基部の穴５０Ｂ、５２Ｂ、５４Ｂ、５０Ｃ、５２Ｃ、５４Ｃ、５０Ｄ、５２Ｄ、５４Ｄを通じて穴をドリル穿孔することができる。これらの実施形態では、深さ設定カラーを有するドリルビットが使用される場合には、ドリルガイド穴５０Ｂ、５２Ｂ、５４Ｂ、５０Ｃ、５２Ｃ、５４Ｃ、５０Ｄ、５２Ｄ、５４Ｄの周囲の基部１６Ｂ、１６Ｃ、１６Ｄの上面１０６Ｂ、１０６Ｃ、１０６Ｄが、ドリル穿孔された穴の深さを限定する機能を果たす。次いで膝蓋骨ドリルガイド１０Ｂ、１０Ｃ、１０Ｄを整えられた膝蓋骨から取り外し、膝蓋骨インプラントコンポーネントを、その取り付けペグがドリル穿孔された穴に受容され、大腿骨インプラントコンポーネントに対するトラッキングが適正となるようにその向きが最適化された状態で移植することができる。
【００５３】
以上、図面及び上記の説明文において本開示内容を詳細に図示、説明したが、こうした図示、説明はその性質上、例示的なものとみなすべきであって、限定的なものとみなすべきではなく、あくまで例示的実施形態を示し、説明したものにすぎないのであって、本開示の趣旨の範囲に含まれる変更及び改変はすべて保護されることが望ましい点は理解されるであろう。本出願と同時に出願された以下の米国仮特許出願に開示される特徴のような他の特徴を膝蓋骨ドリル穿孔システムに取り入れることもできる。すなわち、リチャード・スペンサー・ジョーンズ（Richard Spencer Jones）、マーティン・Ｗ・ロシュ（Martin W. Roche）、及びアブラハム・Ｐ・ライト（Abraham P. Wright）により出願された、発明の名称が「Ｃｌａｍｐｉｎｇ  Ｐａｔｅｌｌａ  Ｄｒｉｌｌ  Ｇｕｉｄｅ」（クランプ締め膝蓋骨ドリルガイド）である、米国仮特許出願第６１／５４００４９号（代理人整理番号ＤＥＰ６４２８ＵＳＰＳＰ）、並びに、レイモンド・Ｅ・ランドル（Raymond E. Randle）、マーティン・Ｗ・ロシュ（Martin W. Roche）、及びアブラハム・Ｐ・ライト（Abraham P. Wright）により出願された、発明の名称が「Ｐａｔｅｌｌａ  Ｄｒｉｌｌｉｎｇ  Ｓｙｓｔｅｍ」（膝蓋骨ドリル穿孔システム）である、米国仮特許出願第６１／５４００５３号（代理人整理番号ＤＥＰ６４２９ＵＳＰＳＰ）。これらの特許出願の完全な開示内容を本明細書に援用するものである。
【００５４】
本開示には、本明細書に述べられる方法、装置、及びシステムの様々な特徴に基づく多くの利点がある。本開示の方法、装置、及びシステムの代替的実施形態は、ここで述べた特徴のすべてを含むわけではないが、こうした特徴の利点の少なくとも一部から利するものである点に留意されたい。当業者であれば、本発明の１以上の特徴を取り入れた、「特許請求の範囲」において定義される本開示の趣旨及び範囲に包含される方法、装置、及びシステムを独自に実施することが容易に可能であろう。
【００５５】
〔実施の態様〕
（１）  人工膝蓋骨インプラントを受容するための切除された膝蓋骨表面を整えるうえで使用される膝蓋骨ドリルガイドであって、
前記切除された膝蓋骨表面の一部を把持するための骨グリップ要素と、
平坦な膝蓋骨対向面を有する基部であって、前記骨グリップ要素の一部が、前記基部の前記平坦な膝蓋骨対向面から外側に向けて延びる、基部と、
前記基部の前記平坦な膝蓋骨対向面の上方に間隔をおいた、外形形成された関節面を有する膝蓋骨トライアル部分と、を備え、
前記基部が、前記基部を貫通して前記基部の前記平坦な膝蓋骨対向面にまで延びる複数のドリルガイド穴を有する、膝蓋骨ドリルガイド。
（２）  前記基部が前記骨グリップ要素上に回転可能に取り付けられ、
前記基部が前記骨グリップ要素上で回転させられるのにしたがって前記切除された膝蓋骨表面に対する前記ドリルガイド穴の位置が変化する、実施態様１に記載の膝蓋骨ドリルガイド。
（３）  前記骨グリップ要素が、台座部、及び前記台座部から外側に向けて延びる複数のスパイクを有し、
前記基部が前記台座部上に回転可能に取り付けられている、実施態様２に記載の膝蓋骨ドリルガイド。
（４）  前記膝蓋骨トライアル部分が、前記基部の前記ドリルガイド穴と整列された複数の穴を有し、前記ドリルガイド穴と前記膝蓋骨トライアル部分の穴との整列が、前記基部が前記骨グリップ要素上で回転させられる際に変化しない、実施態様２に記載の膝蓋骨ドリルガイド。
（５）  前記膝蓋骨トライアル部分が前記基部の前記ドリルガイド穴と整列された複数の穴を有し、それぞれの穴の、前記膝蓋骨トライアル部分を貫通する部分が、前記ドリルガイド穴の、前記基部を貫通する整列した部分よりも大きな直径を有する、実施態様１に記載の膝蓋骨ドリルガイド。
（６）  前記基部と前記膝蓋骨トライアル部分とが一体である、実施態様１の膝蓋骨ドリルガイド。
（７）  前記基部及び前記膝蓋骨トライアル部分が、連結されてアセンブリを画定する独立した要素を含む、実施態様１に記載の膝蓋骨ドリルガイド。
（８）  前記基部が、前記膝蓋骨対向面から間隔をおいた、前記膝蓋骨対向面と平行な上面を有し、前記上面と前記膝蓋骨対向面との間に延びる縁部を有し、
前記縁部が複数の間隔をおいた凹部を有し、
前記上面が、前記間隔をおいた凹部の近傍に標示を有する、実施態様７に記載の膝蓋骨ドリルガイド。
（９）  前記基部が前記上面と前記膝蓋骨対向面との間の厚さを有し、
前記ドリルガイド穴の近傍の前記基部の厚さが、前記間隔をおいた凹部の近傍の前記基部の厚さよりも大きい、実施態様８に記載の膝蓋骨ドリルガイド。
（１０）  前記膝蓋骨トライアル部分が、それぞれが前記基部の前記ドリルガイド穴の１つに受容される複数のペグを有する、実施態様７に記載の膝蓋骨ドリルガイド。
【００５６】
（１１）  前記基部が、前記平坦な膝蓋骨対向面から間隔をおいた、前記平坦な膝蓋骨対向面と平行な第２の平坦な表面を有し、
前記膝蓋骨トライアル部分が、前記外形形成された関節面から間隔をおいた平坦な表面を有し、
前記膝蓋骨トライアル部分の前記平坦な表面が前記基部の前記第２の平坦な表面に固定される、実施態様７に記載の膝蓋骨ドリルガイド。
（１２）  前記基部が、アームによって連結された第１の端部部分と、第２の端部部分とを有し、
前記基部の前記第１の端部部分が前記骨グリップ要素上に回転可能に取り付けられ、前記膝蓋骨トライアル部分が前記基部の前記第１の端部部分の一部であり、
前記膝蓋骨ドリルガイドの第２の端部部分が、第２の骨グリップ要素、平坦な膝蓋骨対向面を有する第２の基部、及び、外形形成された関節面を有する第２の膝蓋骨トライアル部分を含み、
前記第２の基部が前記第２の骨グリップ要素上に回転可能に取り付けられ、該第２の骨グリップ要素の一部が前記平坦な膝蓋骨対向面から外側に向けて延び、
前記第２の膝蓋骨トライアル部分が、前記第２の基部の前記平坦な膝蓋骨対向面の上方に間隔をおいた、外形形成された関節面を有し、
前記第２の基部及び前記第２の膝蓋骨トライアル部分が、前記第２の膝蓋骨トライアル部分の前記外形形成された関節面から、前記第２の膝蓋骨トライアル部分を貫通し、更に前記第２の基部を貫通して、前記第２の基部の前記平坦な膝蓋骨対向面にまで延びる、複数の整列したドリルガイド穴を有し、
前記第２の基部及び第２の膝蓋骨トライアル部分の前記ドリルガイド穴の整列が、前記第２の骨グリップ要素上で前記第２の基部が回転させられる際に変化せず、
前記切除された膝蓋骨表面に対する前記第２の端部部分の前記整列したドリルガイド穴の位置が、前記第２の骨グリップ要素上で前記第２の基部が回転させられるのにしたがって変化する、実施態様５に記載の膝蓋骨ドリルガイド。
（１３）  前記第２の骨グリップ要素が、台座部から外側に向けて延びる複数のスパイクを有する、実施態様１２に記載の膝蓋骨ドリルガイド。
（１４）  それぞれの穴の、前記第２の膝蓋骨トライアル部分を貫通する部分が、前記穴の、前記第２の基部を貫通する整列した部分よりも大きな直径を有する、実施態様１２に記載の膝蓋骨ドリルガイド。
（１５）  前記第２の基部と前記第２の膝蓋骨トライアル部分とが一体である、実施態様１２に記載の膝蓋骨ドリルガイド。
（１６）  前記第２の基部及び前記第２の膝蓋骨トライアル部分が、連結されてアセンブリを画定する独立した要素を含む、実施態様１２に記載の膝蓋骨ドリルガイド。
（１７）  前記第２の膝蓋骨トライアル部分の前記外形形成された関節面が非対称である、実施態様１２に記載の膝蓋骨ドリルガイド。
（１８）  前記膝蓋骨ドリルガイドの前記第２の端部部分が、前記第２の膝蓋骨トライアル部分の前記外形形成された関節面から前記第２の基部の露出した表面にまで延びる厚さを有し、
前記第２の膝蓋骨トライアル部分が、反対側の縁部を含む縁部を有し、
前記膝蓋骨ドリルガイドの前記第２の端部部分の前記厚さが、前記第２の膝蓋骨トライアル部分の一方の縁部から前記反対側の縁部にかけて変化し、
少なくとも１つの断面図において、前記膝蓋骨ドリルガイドの前記第２の端部部分の最大の厚さが、前記第２の膝蓋骨トライアル部分の両縁部の間で、一方の縁部から、両縁部間の距離の１／２よりも大きい距離となる位置にある、実施態様１７に記載の膝蓋骨ドリルガイド。
（１９）  前記第１及び第２の膝蓋骨トライアル部分が異なるサイズのものである、実施態様１７に記載の膝蓋骨ドリルガイド。
（２０）  前記第１の膝蓋骨トライアル部分の両縁部間の距離が、前記第２の膝蓋骨トライアル部分の両縁部間の距離と異なる、実施態様１９に記載の膝蓋骨ドリルガイド。
【００５７】
（２１）  ハンドル、及び前記ハンドルに連結されたクランプ機構を更に有し、前記ハンドルが前記膝蓋骨ドリルガイドの前記基部に連結される、実施態様１に記載の膝蓋骨ドリルガイド。
（２２）  前記クランプ機構が、
前記ハンドルから、前記基部から間隔をおき、前記基部と整列した端部にまで延びるカンチレバーバネ部材と、
前記カンチレバーバネ部材の前記端部上の骨グリップ部材であって、前記基部上の前記骨グリップ要素と対向し、前記骨グリップ要素から間隔をおいた骨グリップ部材と、を含む、実施態様２１に記載の膝蓋骨ドリルガイド。
【図１】
0006009301.tif 000002
【図２】
0006009301.tif 000003
【図３】
0006009301.tif 000004
【図４】
0006009301.tif 000005
【図５】
0006009301.tif 000006
【図６】
0006009301.tif 000007
【図７】
0006009301.tif 000008
【図８】
0006009301.tif 000009
【図９】
0006009301.tif 000010
【図１０】
0006009301.tif 000011
【図１１】
0006009301.tif 000012
【図１２】
0006009301.tif 000013
【図１３】
0006009301.tif 000014